(57)【要約】【課題】データを機能ごとに分類し、機能の操作開始のタイミングで、その機能に必要なデータを個別に生成することで生成にかかる時間を短縮することができる画像形成装置および画像形成装置の画像処理方法を提供する。【解決手段】複数の機能を搭載し、一つ以上のユーザインターフェイス手段を備えた画像形成装置において、装置が扱う情報を複数に分類し、ユーザインターフェイス手段より機能の操作開始が指示されるタイミングで、分類された情報のうち指定された機能のデータのみを生成するようにした。【選択図】        図１
2006217333.tif 000002
【特許請求の範囲】
【請求項１】
複数の機能を搭載し、一つ以上のユーザインターフェイス手段を備えた画像形成装置において、
装置が扱う情報を複数に分類し、ユーザインターフェイス手段より機能の操作開始が指示されるタイミングで、分類された情報のうち指定された機能のデータのみを生成することを特徴とした画像形成装置。
【請求項２】
前記ユーザインターフェイス手段より機能の操作終了が指示されるタイミングで、分類された情報のうち指定された機能のデータのみを消去することを特徴とする請求項１記載の画像形成装置。
【請求項３】
さらに、機能の操作開始を行うタイミングでどの機能（機能種類）を使用するかの指定も行うユーザインターフェイス手段を有することを特徴とする請求項１または請求項２記載の画像形成装置。
【請求項４】
さらに、機能の操作終了を行うタイミングでどの機能（機能種類）の使用を終了するかの指定も行うユーザインターフェイス手段を有することを特徴とする請求項２記載の画像形成装置。
【請求項５】
前記ユーザインターフェイス手段より機能の操作開始を指示されたときに、生成するデータが装置が保持する容量に満たないときにはユーザインターフェイス手段へエラーを通知することを特徴とする請求項１または請求項２または請求項３または請求項４記載の画像形成装置。
【請求項６】
さらに、機能の操作終了指示のタイミングで該当データが存在しない場合にはエラーを返すことを特徴とする請求項２または請求項３または請求項４または請求項５記載の画像形成装置。
【請求項７】
複数の機能を搭載し、一つ以上のユーザインターフェイス手段を備えた画像形成装置の画像処理方法において、
装置が扱う情報を複数に分類し、ユーザインターフェイス手段より機能の操作開始が指示されるタイミングで、分類された情報のうち指定された機能のデータのみを生成することを特徴とした画像形成装置の画像処理方法。
【請求項８】
前記ユーザインターフェイス手段より機能の操作終了が指示されるタイミングで、分類された情報のうち指定された機能のデータのみを消去することを特徴とする請求項７記載の画像形成装置の画像処理方法。
【請求項９】
さらに、機能の操作開始を行うタイミングでどの機能（機能種類）を使用するかの指定も行うユーザインターフェイス手段を有することを特徴とする請求項７または請求項８記載の画像形成装置の画像処理方法。
【請求項１０】
さらに、機能の操作終了を行うタイミングでどの機能（機能種類）の使用を終了するかの指定も行うユーザインターフェイス手段を有することを特徴とする請求項８記載の画像形成装置の画像処理方法
【請求項１１】
前記ユーザインターフェイス手段より機能の操作開始を指示されたときに、生成するデータが装置が保持する容量に満たないときにはユーザインターフェイス手段へエラーを通知することを特徴とする請求項７または請求項８または請求項９または請求項１０記載の画像形成装置の画像処理方法。
【請求項１２】
さらに、機能の操作終了指示のタイミングで該当データが存在しない場合にはエラーを返すことを特徴とする請求項８または請求項９または請求項１０または請求項１１記載の画像形成装置の画像処理方法。
【発明の詳細な説明】
【技術分野】
【０００１】
本発明は、複数の機能を搭載し、一つ以上のユーザインターフェイス手段を備えた画像形成装置、および、複数の機能を搭載し、一つ以上のユーザインターフェイス手段を備えた画像形成装置の画像処理方法に関する。
【背景技術】
【０００２】
近年、複写機のデジタル化により、複写機は複合化されている。例えば、画像データをレーザー光で感光ドラムに書き込むという方式は、レーザプリンターの書き込み方式と全く同じ仕組みである。よって、両用のコントローラーを搭載すれば、複写機とプリンターの機能を一体化、即ち、複合化することができる。また、同じ要領でファックスやスキャナの機能も融合することで、これらの機能の複合化が可能である。このような複合機の登場により、これまでそれぞれ単機能の事務機だった複写機、プリンター、ファクス、スキャナが１台の機器（複合機：ＭＦＰ）にまとまり、オフィスのトータルコストの低減につながっている。
【０００３】
また、近年において、複写機は複合化だけでなく、ネットワーク化も行われている。例えば、デジタル化によって複合機がオフィスのネットワークにつながることが可能になり、パソコンやサーバと一緒に働くようになった。これによって、ＭＦＰに搭載されているオペレーションパネルだけでなく、リモートからＭＦＰに対してアクセスが可能になった。例えばパソコン上のソフトからFAX送信が可能になったり、WebブラウザからＭＦＰの状態を参照できたり、ＭＦＰ内に保存されている文書の閲覧も可能になった（特許文献１参照）。
【特許文献１】特開２００４−９０２４３号公報
【特許文献２】特開平６−２６８７９５号公報
【発明の開示】
【発明が解決しようとする課題】
【０００４】
通常、複写機のソフトウェアは、図１１に示されたように、ユーザインターフェイス層とアプリケーション層とサービス層の３つが構築される。オペレーションパネルなどのユーザインターフェース手段からユーザの意思を読み取るユーザインターフェイス層はアプリケーション層へ指示を行い、アプリケーションはその指示に従い複写機の機能を実行する。アプリケーション層は実際にハードを動かすサービス層へ指示を行うことでこれを実現する。
【０００５】
通常、複写機の機能に対して、ユーザが好みに合った設定を行い、機能の実行を行うとき、通常のソフトウェアでは設定用のテンポラリ領域に機能の実行データを作成し、そこにユーザからの設定内容を保存し、実行データとして使用している。従来のソフトウェアでは電源立ち上げ時に複写機の全ての保存用データを作成していたため、複写機の操作ができるまでの時間が長いという問題があった。
【０００６】
また、複写機の機能が多岐にわたるにつれ、複写機を実行するのに必要なデータは増大しており、今後も複写機の操作ができるまでの時間が長くなると予想される。
【０００７】
本発明は、かかる実情に鑑みてなされたものであり、データを機能ごとに分類し、機能の操作開始のタイミングで、その機能に必要なデータを個別に生成することで生成にかかる時間を短縮することができる画像形成装置および画像形成装置の画像処理方法を提供すること目的とする。
【課題を解決するための手段】
【０００８】
本発明は、複数の機能を搭載し、一つ以上のユーザインターフェイス手段を備えた画像形成装置において、装置が扱う情報を複数に分類し、ユーザインターフェイス手段より機能の操作開始が指示されるタイミングで、分類された情報のうち指定された機能のデータのみを生成するようにしたものである。また、前記ユーザインターフェイス手段より機能の操作終了が指示されるタイミングで、分類された情報のうち指定された機能のデータのみを消去するようにしたものである。また、さらに、機能の操作開始を行うタイミングでどの機能（機能種類）を使用するかの指定も行うユーザインターフェイス手段を有するものである。また、さらに、機能の操作終了を行うタイミングでどの機能（機能種類）の使用を終了するかの指定も行うユーザインターフェイス手段を有するものである。また、前記ユーザインターフェイス手段より機能の操作開始を指示されたときに、生成するデータが装置が保持する容量に満たないときにはユーザインターフェイス手段へエラーを通知するようにしたものである。また、さらに、機能の操作終了指示のタイミングで該当データが存在しない場合にはエラーを返すようにしたものである。
【０００９】
また、複数の機能を搭載し、一つ以上のユーザインターフェイス手段を備えた画像形成装置の画像処理方法において、装置が扱う情報を複数に分類し、ユーザインターフェイス手段より機能の操作開始が指示されるタイミングで、分類された情報のうち指定された機能のデータのみを生成するようにしたものである。また、前記ユーザインターフェイス手段より機能の操作終了が指示されるタイミングで、分類された情報のうち指定された機能のデータのみを消去するようにしたものである。また、さらに、機能の操作開始を行うタイミングでどの機能（機能種類）を使用するかの指定も行うユーザインターフェイス手段を有するものである。また、さらに、機能の操作終了を行うタイミングでどの機能（機能種類）の使用を終了するかの指定も行うユーザインターフェイス手段を有するものである。また、前記ユーザインターフェイス手段より機能の操作開始を指示されたときに、生成するデータが装置が保持する容量に満たないときにはユーザインターフェイス手段へエラーを通知するようにしたものである。また、さらに、機能の操作終了指示のタイミングで該当データが存在しない場合にはエラーを返すようにしたものである。
【発明の効果】
【００１０】
したがって、本発明によれば、データを機能ごとに分類し、機能の操作開始のタイミングで、その機能に必要なデータを個別に生成することで生成にかかる時間を短縮することができるという効果を得る。
【発明を実施するための最良の形態】
【００１１】
以下、添付図面を参照しながら、本発明の実施の形態を詳細に説明する。
【００１２】
図１〜１４は、本発明実施形態においてネットワークシステムを構成する画像処理装置の概略図、操作部の概略図、及びブロック図である。なお、本実施形態では、画像処理装置として画像形成装置を用いる。
【００１３】
本発明で想定している実施環境を図１に示す。これより説明する本発明の実施形態では、様々な機器（複数のクライアントＰＣ、ＳＭＴＰサーバ、ＦＴＰサーバ、公衆網を介してファクスへ情報を配信する配信サーバ）が接続されているネットワーク環境に接続され手いる画像形成装置を想定している。
【００１４】
図２に、本発明の画像形成装置を示す。
【００１５】
自動原稿送り装置（以後ＡＤＦ）１にある、原稿台２に原稿の画像面を上にして置かれた原稿束は、操作部３０上のプリントキー３４が押下されると、一番下の原稿から給送ローラ３、給送ベルト４によってコンタクトガラス６上の所定の位置に給送される。
【００１６】
一枚の原稿を給送完了により原稿枚数をカウントアップするカウント機能を有している。給送された原稿は読み取りユニット５０によってコンタクトガラス６上の原稿の画像データを読み取り後、読み取りが終了した原稿は、給送ベルト４及び排送ローラ５によって排出される。
【００１７】
さらに、原稿セット検知７にて原稿台２に次の原稿が有ることを検知した場合、前原稿と同様にコンタクトガラス６上に給送される。
【００１８】
給送ローラ３、給送ベルト４、排送ローラ５は搬送モータ２６によって駆動される。第１トレイ８、第２トレイ９、第３トレイ１０に積載された転写紙は、各々第１給紙装置１１、第２給紙装置１２、第３給紙装置１３によって給紙され、縦搬送ユニット１４によって感光体１５に当接する位置まで搬送される。
【００１９】
読み取りユニット５０にて読み込まれた画像データは、書き込みユニット５７からのレーザーによって感光体１５に書き込まれ、現像ユニット２７を通過することによってトナー像が形成される。
【００２０】
そして、転写紙は感光体１５の回転と等速で搬送ベルト１６によって搬送されながら、感光体１５上のトナー像が転写される。
【００２１】
その後、定着ユニット１７にて画像を定着させ、排紙ユニット１８によって後処理装置のフィニシャ１００に排出される。
【００２２】
後処理装置のフィニシャ１００は、本体の排紙ローラ１９によって搬送された転写紙を、通常排紙ローラ１０２方向と、ステープル処理部方向へ導く事ができる。切り替え板１０１を上に切り替える事により、搬送ローラ１０３を経由して通常排紙トレイ１０４側に排紙する事ができる。
【００２３】
また、切り替え板１０１を下方向に切り替える事で、搬送ローラ１０５、１０７を経由して、ステープル台１０８に搬送する事ができる。
【００２４】
ステープル台１０８に積載された転写紙は、一枚排紙されるごとに紙揃え用のジョガー１０９によって、紙端面が揃えられ、一部のコピー完了と共にステープラ１０６によって綴じられる。ステープラ１０６で綴じられた転写紙群は自重によって、ステープル完了排紙トレイ１１０に収納される。
【００２５】
一方、通常の排紙トレイ１０４は前後に移動可能な排紙トレイである。前後に移動可能な排紙トレイ部１０４は、原稿毎、あるいは、画像メモリによってソーティングされたコピー部毎に、前後に移動し、簡易的に排出されてくるコピー紙を仕分けるものである。
【００２６】
転写紙の両面に画像を作像する場合は、各給紙トレイ８〜１０から給紙され作像された転写紙を排紙トレイ１０４側に導かないで、経路切り替えの為の分岐爪１１２を上側にセットする事で、一旦両面給紙ユニット１１１にストックする。
【００２７】
その後、両面給紙ユニット１１１にストックされた転写紙は再び感光体１５に作像されたトナー画像を転写するために、両面給紙ユニット１１１から再給紙され、経路切り替えの為の分岐爪１１２を下側にセットし、排紙トレイ１０４に導く。この様に転写紙の両面に画像を作成する場合に両面給紙ユニット１１１は使用される。
【００２８】
感光体１５、搬送ベルト１６、定着ユニット１７、排紙ユニット１８、現像ユニット２７はメインモータ２５によって駆動され、各給紙装置１１〜１３はメインモータ２５の駆動を各々給紙クラッチ２２〜２４によって伝達駆動される。縦搬送ユニット１４はメインモータ２５の駆動を中間クラッチ２１によって伝達駆動される。
【００２９】
図３は、操作部３０を示した図である。
【００３０】
操作部３０には、液晶タッチパネル３１、テンキー３２、クリア／ストップキー３３、プリントキー３４、予熱キー３５、リセットキー３６、初期設定キー３７、コピーキー３８、コピーサーバーキー３９があり、液晶タッチパネル３１には、機能キー、部数、及び画像形成装置の状態を示すメッセージなどが表示される。
【００３１】
初期設定キー３７を押す事で、機械の初期状態を任意にカスタマイズする事が可能である。機械が収納している用紙サイズを設定したり、コピー機能のモードクリアキーを押したときに設定される状態を任意に設定したりすることが可能である。
【００３２】
また、一定時間操作が無いときに優先して選択されるアプリケーション等も選択する事、国際エネルギースター計画に従った低電力への移行時間の設定や、オートオフ／スリープモードへの移行する時間を設定する事が可能である。
【００３３】
予熱キー３５を押すと、機械は待機状態から、電力低減状態に移行し、定着温度を低下させたり、操作部の表示を消灯したりする。予熱状態は、国際エネルギースター計画で言う、低電力状態を意味している。また、予熱状態、オフ状態／スリープ状態を解除し、待機状態に移行させるには、この予熱キーを再度押下する。
【００３４】
コピーキー３８の押下により、コピー機能の使用が可能である。コピーサーバーキー３９は、既存の蓄積画像データの編集（コピーモード設定、印刷、削除）を行なうときに使用する。
【００３５】
コピーサーバーの詳細は、後述する。また、スキャナアプリキー４１は原稿を機器内部の記憶装置に蓄積るるとき、スキャナより読み取った入力画像や蓄積されている画像データなどを外部に送信するとき等に使用する。詳細は後述する。
【００３６】
図４は、操作部３０の液晶タッチパネル３１の表示の一例を示した図である。オペレータが液晶タッチパネル３１に表示されたキーにタッチする事で、選択された機能を示すキーが黒く反転する。
【００３７】
また、機能の詳細を指定しなければならない場合（例えば変倍であれは変倍値等）は、キーにタッチする事で、詳細機能の設定画面が表示される。このように、液晶タッチパネルは、ドット表示器を使用している為、その時の最適な表示をグラフィカルに行なう事が可能である。
【００３８】
また、図３において左上は、「コピーできます」、「お待ちください」等のメッセージを表示するメッセージエリア、その右は、セットした枚数を表示するコピー枚数表示部、転写紙を自動的に選択する自動用紙選択キー、コピーを一部ずつページ順にそろえる処理を指定するソートキー、コピーをページ毎に仕分けする処理を指定するスタックキー、ソート処理されたものを一部ずつ綴じる処理を指定するステープルキー、倍率を等倍にセットする等倍キー、拡大／縮小倍率をセットする変倍キー、両面モードを設定する両面キー、とじ代モード等を設定する編集キー、表紙／合紙モードを設定する表紙／合紙キー、デジタル複写機のネットワークを介して多量のプリント動作を複数に分けてプリントアウトする連結モードキーである。
【００３９】
また、給紙トレイ数に対応した給紙トレイ状態を示し、手動で給紙段を設定するためのキーが給紙段分表示されている。
【００４０】
図５は、メインコントローラを中心に、制御装置を図示したものである。メインコントローラ２０は画像形成装置全体を制御する。
【００４１】
メインコントローラ２０には、オペレータに対する表示、オペレータからの機能設定入力制御を行なう操作部３０、スキャナの制御、原稿画像を画像メモリに書き込む制御、画像メモリからの作像を行なう制御等を行なう画像処理ユニット（ＩＰＵ）４９、原稿自動送り装置（ＡＤＦ）１、等の分散制御装置が接続されている。
【００４２】
各分散制御装置とメインコントローラ２０は必要に応じて機械の状態、動作司令のやりとりを行っている。
【００４３】
また紙搬送等に必要なメインモータ２５、各種クラッチ２１〜２４も接続されている。  ここで、図２に戻り、画像形成装置の原稿読み取りから、画像の書き込みまでを説明する。
【００４４】
読み取りユニット５０は、原稿を載置するコンタクトガラス６と光学走査系で構成されており、光学走査系には、露光ランプ５１、第１ミラー５２、レンズ５３、ＣＣＤイメージセンサ５４等々で構成されている。
【００４５】
露光ランプ５１及び第１ミラー５２は図示しない第１キャリッジ上に固定され、第２ミラー５５及び第３ミラー５６は図示しない第１キャリッジ上に固定されている。
【００４６】
原稿像を読み取るときには、光路長が変わらないように、第１キャリッジ第２キャリッジとが２対１の相対速度で機械的に操作される。
【００４７】
この光学走査系は、図示しないスキャナ駆動モータにて駆動される。原稿画像は、ＣＣＤイメージセンサ５４によって読み取られ、電気信号に変換されて処理される。
【００４８】
書き込みユニット５７はレーザー出力ユニット５８、結像レンズ５９、ミラー６０で構成され、レーザー出力ユニット５８の内部には、レーザー光源であるレーザダイオード及びモータによって高速で定速回転する多角形ミラー（ポリゴンミラー）が備わっている。
【００４９】
書き込みユニット５７から出力されるレーザー光が、画像作像系の感光体１５に照射される。
【００５０】
図示しないが感光体１５の一端近傍のレーザビームを照射される位置に、主走査同期信号を発生するビームセンサが配置されている。
【００５１】
図６は、画像処理ユニット（ＩＰＵ）４９内部構成のブロック図である。
【００５２】
露光ランプ５１から照射された光の反射を、ＣＣＤイメージセンサ５４にて光電変換し、Ａ／Ｄコンバータ６１にてデジタル信号に変換する。デジタル信号に変換された画像信号は、シェーディング補正６２がなされた後、画像処理部６３にてＭＴＦ補正、γ補正等がなされる。
【００５３】
その後、印字合成部７１を介して入力した画像データを変倍回路７７へ、或いは、画像メモリコントローラ６５へ切り替えて供給するものであり、変倍回路７７を経由した画像信号は変倍率に合せて拡大縮小され、書き込みユニット５７に送られる。一方、画像メモリコントローラ６５とセレクタ６４間は、双方向に画像信号を入出力可能な構成となっている。
【００５４】
また、図６には特に明示していないが、ＩＰＵ４９には読み取りユニット５０から入力される画像データ以外にもＩ／Ｏポート６７を介して外部から供給される画像データ、例えばパーソナルコンピュータ等のデータ処理装置から入力したデータも処理できるよう、複数データの入出力の選択を行なう機能を有しているものとする。
【００５５】
本発明においてはＩ／Ｏポート６７を介して画像形成装置をネットワーク接続しており、その通信手段には、インターネットの標準プロトコルとして普及されているＴＣＰ／ＩＰ通信プロトコルを用いるなどが考えられる。
【００５６】
また、図１のようなネットワーク構成を持ち、ネットワーク接続された各画像形成装置の機械構成情報や動作状況、もしくはリモート出力コマンド等の制御コマンド、設定コマンド、または外部サーバと画像データや送信先アドレス帳データの送受信を行っている。  また、画像メモリコントローラ６５等への設定や、読み取り部５０書き込み部５７の制御を行なうＣＰＵ６８、及びそのプログラム(Ｐ)やデータを格納するＲＯＭ６９、ＲＡＭ７０、ＮＶ−ＲＡＭ７４を備えている。
【００５７】
更にＣＰＵ６８は、メモリコントローラ６５を介して、画像メモリ６６のデータの書き込み、読み出しを行なうことができる。
【００５８】
原稿画像で画像メモリコントローラ６５へ送られた画像は、画像メモリコントローラ内にある画像圧縮装置によって画像データを圧縮した後、画像メモリ６６に送られる。
【００５９】
ここで画像圧縮する理由は、最大画像サイズ分の２５６階調のデータをそのまま画像メモリ６６に書き込む事も可能であるが、１枚の原稿画像で画像メモリを大変多く使用する。  画像圧縮を行なう事で、限られた画像メモリを有効に利用できる。
【００６０】
また、一度に多くの原稿画像データを記憶することが出来るため、ソート機能として、貯えられた原稿画像イメージデータをページ順に出力する事ができる。この場合、画像を出力する際に画像メモリ６６のデータをメモリコントローラ６５内の伸長装置で順次伸長しながら出力を行なう。
【００６１】
このような機能は一般に「電子ソート」と呼ばれている。また画像メモリの機能を利用して、複数枚の原稿画像を、画像メモリの転写紙一枚分のエリアを分割したエリアに順次読み込む事も可能となる。
【００６２】
例えば、４枚の原稿画像を、画像メモリの転写紙一枚分の４等分されたエリアに順次書き込む事で、４枚の原稿が一枚の転写紙イメージに合成され集約されたコピー出力を得ることが可能となる。
【００６３】
このような機能は一般に「集約コピー」と呼ばれている。画像メモリ６６の画像はＣＰＵ６８からアクセス可能な構成となっている。
【００６４】
このため画像メモリの内容を加工することが可能であり、例えば画像の間引き処理、画像の切り出し処理等が行なえる。
【００６５】
加工には、メモリコントローラ６５のレジスタにデータを書き込む事で画像メモリの処理を行なう事ができる。加工された画像は再度画像メモリに保持される。画像メモリ６６は、処理を行なう画像データの大きさにより複数のエリアに分割して画像データの入出力を同時に実行可能な構成をとっている。各分割したエリアに画像データの入力、出力をそれぞれ並列に実行可能にするためにメモリコントローラとのインターフェースにリード用とライト用の二組のアドレス・データ線で接続されている。
【００６６】
これによりエリア１に画像を入力（ライト）する間にエリア２より画像を出力（リード）するという動作が可能になる。画像メモリ６６は、多くの画像データを収納するためハードディスクを別に設けることもある。
【００６７】
ハードディスクを用いる事により、外部電源が不用で永久的に画像を保持できる特徴もある。複数の定型の原稿（フォーマット原稿）をスキャナで読み込み保持するためには、このハードディスクが用いられるのが一般的である。
【００６８】
また、スキャナより読み取った画像データを電子メールなどを利用して外部に配信する際のデータのエンコード処理や配信の宛先データを持つアドレス帳などの保管や編集、削除といった一連の動作を行なう際にも利用されている。
【００６９】
書き込み、読み出しには本体の作像やスキャナからの画像書き込みに対し処理速度の差を吸収する為に、画像メモリに一旦記憶され処理される。
【００７０】
また画像記憶装置からのデータを書き込みユニット５７に送る際は、画像メモリ６６に一旦記憶し、書き込みユニット５７に送ることになる。
【００７１】
このように画像を記憶する装置の画像メモリ６６、ＨＤ７５、スキャナ画像、書き込みユニットに送る画像の入出力は全てメモリコントローラ６５によって画像パスを決められる。
【００７２】
このようにＣＰＵ６８が画像データの入力、出力を決めることでＣＰＵに接続されたメモリコントローラ６５が画像の流れを切り替えることが可能となる。
【００７３】
コピーサーバーにおいて蓄積画像の編集を行なう場合は、図３においてコピーサーバーキー３９を押下する。
【００７４】
このときタッチパネル３１は、図７のようになる。表示領域７０にはＨＤＤ７５に蓄積された画像データの各画像情報が表示されている。画像データを特定するための画像情報としてユーザＩＤ、文書名、ページ数、蓄積時刻が表示される。ユーザIDは該画像形成装置に接続されたパーソナルコンピュータのプリンタドライバーにて付けられるためプリンタ機能による蓄積画像にのみ存在する。
【００７５】
文書名は画像蓄積をする毎に付けられる。ページ数は蓄積した原稿画像の枚数である。蓄積時刻は画像蓄積された時の時間を表す。
【００７６】
なおこの時の画像情報は不揮発メモリＮＶ−ＲＡＭ７４に保持されており、電源断時でもその画像情報は保持され続ける。
【００７７】
図７の表示領域７０では３個の画像情報のみ表示されているが、同図「前へ」キー「後へ」キーを押下することにより表示されていない画像情報が表示可能である。
【００７８】
表示領域７０に表示されている各画像情報を押下すると画像情報表示部分が黒色に反転する。これを選択状態と呼ぶ。複数の画像情報が選択状態として指定可能である。
【００７９】
蓄積画像に対する編集機能として、「リストから削除」「印刷条件変更」、「文書印刷」機能がある。文書を選択し「リストから削除」キーを押下すると選択された文書が削除される。文書を選択し、「印刷条件」キーを押下し、表示される画面にて印刷条件を設定し、プリントキー３４を押下することにより、指定された印刷条件に従って選択文書に応じた蓄積画像を印刷出力する。
【００８０】
スキャナで読み取った画像データや蓄積されている画像データを外部に送信する場合、図３においてスキャナアプリキー４１を押下すると、タッチパネル３１には図８のような表示になる。
【００８１】
読み取り条件キーを押下すると図９に示すような表示に切り替わり、スキャナからの原稿の読み取りに対して、この画面から原稿種類、解像度、原稿サイズ、濃度を設定することができる。
【００８２】
ここで設定した読み取り条件は読み取り条件表示欄８０に表示される。送信相手先は登録ユーザ表示欄８１に表示されているユーザを指定する。
【００８３】
あるいは、直接入力キーを押下しソフトウェアキーボードを利用することによって、文字通り直接宛先を入力することもできる。ここで、原稿をスキャナにセットし、プリントキーを押下すると、原稿を読み取って電子画像として希望の宛先に向けて送信することができる。蓄積文書キー８２を押下すると、図１０に示されているような表示に切り替わる。ここでは、蓄積されている文書の一覧が表示される。
【００８４】
ここで文書を(複数)選択して、図８のスキャナ配信基本画面に戻って宛先を設定すると選択した蓄積文書を外部に送信することができる。また、ここでは他に蓄積文書の削除を実行できる。
【００８５】
また、操作部３０には、図１２のように、画像形成装置で行うことができる全ての機能が一つの画面で行うことができるものもある。
【００８６】
操作は入力形式８５ａとして紙／電子から選択し、また出力形式８６ａとして印刷／送信／保存から選択する。入力と出力を指定することで従来のコピー、スキャナ、ファックスの持つ機能を実現させることができる。例えば入力形式：紙、出力形式：印刷とした場合にはコピー機能が実現される。
【００８７】
それぞれの機能に対する設定は紙、電子、印刷、送信、保存といったタッチパネル上のキー８０ａ，８１ａ，８２ａ，８３ａ，８４ａを押下することでタブ切替が行われ、設定を行うことができる。また、機能の詳細を指定しなければならない場合（例えば印刷条件）は、キーにタッチする事で、詳細機能の設定画面が表示される。
【００８８】
以下、本発明の実施例について説明する。
【００８９】
プログラムをコンピュータが実行することによって画像形成装置におけるＲＡＭ７０の記憶領域の一部には、図１１に示すユーザインターフェイス層とアプリケーション層とサービス層の３つが構築される。このうちアプリケーション層の上位に位置するユーザインターフェイ層はユーザに対し操作手段を提供する。
【００９０】
サービス層は、画像形成装置が備えるスキャナ、プロッタ等のデバイスの動作制御をアプリケーション層が共通で利用できるような単位で提供する。
【００９１】
ユーザインターフェイス層はアプリケーション層に対して複数存在し、主に操作部３０を通じてユーザより要求をもらいアプリケーション層へ指示を行い、アプリケーションはその指示に従い画像形成装置の機能を実行する。
【００９２】
ここでは、図１２において、保存キー８４ａが押下されたときを考える。
【００９３】
保存キーが押されると、ユーザーインターフェイス層は、保存機能が開始されることを理解し、操作の開始とともに、機能種類：蓄積をアプリケーション層に通知する。
【００９４】
通知を受けたアプリケーション層は、予めＲＡＭ７０などにテーブル図１４として保存されている機能種類−データ対応表を参照し、データのサイズをチェックする。
【００９５】
その後、ＲＡＭ７０に確保しているデータを生成する領域に対して機能種類で指定されたデータが収まるかどうかの判断を行い、ＯＫだったときには保存データの生成を行い、ユーザインターフェイス層へＯＫを通知する。
【００９６】
サイズがオーバーしてしまう場合には、同様にＮＧを通知する。以上の流れを図１５に示す。その後、ユーザインターフェイスより指定された設定内容を生成したデータ領域に保存していき、そのデータをもとに画像形成装置の実行が行われる。
【００９７】
操作の開始のタイミングは、オペレーションパネルの形態によってユーザインターフェイス層側で判断してよい。今回は保存ボタン押下時であったが、設計者の意思により操作の開始を保存設定が初めに行われるときと捉えても良い。
【００９８】
また、図１２において、解除ボタンが押下されたときを考える。
【００９９】
解除ボタンが押下されると、ユーザインターフェイス層は保存機能の操作が終了されると理解し、機能種類：蓄積の捜査の終了をアプリケーション層へ通知する。
【０１００】
通知を受けたアプリケーション層は、ＲＡＭ７０上に指定された機能種類のデータが生成されているかをチェックする。
【０１０１】
該当データが生成されていた場合には、保存機能データの削除処理を行い。ユーザインターフェイス層へＯＫを通知する。該当データが生成されていなければ、ＮＧを通知する。以上の流れを図１６に示す。
【図面の簡単な説明】
【０１０２】
【図１】本発明で想定している実施環境の一例を示した概略図。
【図２】本発明にかかる画像形成装置を示す概略構成図。
【図３】操作部３０を示した概略図。
【図４】操作部３０の液晶タッチパネル３１の表示の一例を示した概略図。
【図５】メインコントローラを中心に、制御装置を図示したブロック図。
【図６】画像処理ユニット（ＩＰＵ）４９内部構成の一例を示したブロック図。
【図７】タッチパネル３１の表示構成の一例を示した概略図。
【図８】タッチパネル３１の表示構成の他の例を示した概略図。
【図９】タッチパネル３１の表示構成のさらに他の例を示した概略図。
【図１０】タッチパネル３１の表示構成のまたさらに他の例を示した概略図。
【図１１】複写機のソフトウェアの構成の一例を示した概略図。
【図１２】タッチパネル３１の表示構成の別な例を示した概略図。
【図１３】従来装置との違いを説明するための概略図。
【図１４】機能種類−データ対応表の一例を示した概略図。
【図１５】データ生成処理の一例を示したフローチャート。
【図１６】データ削除処理の一例を示したフローチャート。
【符号の説明】
【０１０３】
２０  メインコントローラ
３０  操作部
【図１５】
2006217333.tif 000003
【図１６】
2006217333.tif 000004
【図１】
2006217333.tif 000005
【図２】
2006217333.tif 000006
【図３】
2006217333.tif 000007
【図４】
2006217333.tif 000008
【図５】
2006217333.tif 000009
【図６】
2006217333.tif 000010
【図７】
2006217333.tif 000011
【図８】
2006217333.tif 000012
【図９】
2006217333.tif 000013
【図１０】
2006217333.tif 000014
【図１１】
2006217333.tif 000015
【図１２】
2006217333.tif 000016
【図１３】
2006217333.tif 000017
【図１４】
2006217333.tif 000018